(57)【要約】【課題】  理美容室用品の卸業者と理美容室間又は卸業者と理美容室とメーカー間の情報伝達が的確で営業活動が円滑にできるようにした理美容室用情報伝達カレンダーを提供する。【解決手段】  理美容室用情報伝達カレンダー１００は、理美容室内に設置され収納物を出し入れ自在に収納する収納部３を備えたカレンダー部１と、卸業者の営業担当者が各理美容室を訪問する際に記載されて上記収納部３に挿入される提案書１０と、からなり、上記提案書１０は伝達事項確認欄イ、理美容室名欄ロ、講習会案内欄ハ、新製品案内欄ニ、取扱い製品フォローアップ欄ホ、案内物紹介欄ヘ、理美容室への企画・イベント提案欄ト、及び理美容室改善提案欄チを備えるとともに３枚複写式で理美容室と営業担当者と管理者に提供されるものである。【選択図】  図１
0003122134.tif 000002
【実用新案登録請求の範囲】
【請求項１】
理美容室内に設置され収納物を出し入れ自在に収納する収納部を備えたカレンダー部と、卸業者の営業担当者が各理美容室を訪問する際に記載されて上記収納部に挿入される提案書と、からなり、上記提案書は伝達事項確認欄、理美容室名欄、講習会案内欄、新製品案内欄、取扱い製品フォローアップ欄、案内物紹介欄、理美容室への企画・イベント提案欄、及び理美容室改善提案欄を備えるとともに３枚複写式で理美容室と営業担当者と管理者に提供されるものであることを特徴とする理美容室用情報伝達カレンダー。
【請求項２】
上記提案書は卸業者用とメーカー用が用意され、メーカー用提案書はメーカーの営業担当者が各理美容室を訪問する際に記載されて上記収納部に挿入されるものであり伝達事項確認欄、理美容室名欄、企画・イベント提案欄、新製品案内欄、取扱い製品フォローアップ欄を備えるとともに４枚複写式で理美容室とメーカー担当者と卸業者営業担当者と卸業者管理者に提供されるものであることを特徴とする請求項１記載の理美容室用情報伝達カレンダー。
【考案の詳細な説明】
【技術分野】
【０００１】
本考案は、理美容室用品の卸業者と理美容室間の二者間又は卸業者とメーカーと理美容室間の三者で利用される理美容室用情報伝達カレンダーに係り、特に、上記二者又は三者間の情報伝達が的確にでき営業活動を円滑にできるようにしたものに関する。
【背景技術】
【０００２】
従来、理美容室用品の卸業者やメーカーから理美容室への理美容室用品の売り込みや各種イベント情報・セミナー案内の情報伝達を行う営業形態としては、卸業者の営業マンが理美容室に対してアポイントを取り面接形式により商談等を進める方法を採らず、上記営業マンがいわゆるルート営業、すなわち毎週一回程度訪問して理美容室用品の売り込みや各種イベント情報・セミナー案内の情報伝達や理美容室での困り事の収集等を行っている。しかし、昼間や夜間を問わず営業時間帯に営業マンが理美容室を訪問しても、お客さん相手の仕事中で直接対話の商談が不可能であり、仕事終了後とか次週の訪問を余儀なくされている。このため、一日の営業活動は、例えば１０数店舗まわって数店舗だけしか商談できず、卸業者やメーカーとしての営業活動が非効率的である。それならば、ダイレクトメールやインターネットメールでの営業活動が考えられる。しかし、上記ダイレクトメールやインターネットメール手法では、一方的な情報伝達になるため、真の理美容室側の要求が分からず採用されていない。
【０００３】
上記のように円滑な情報伝達の方法は理美容業界用には存在しないが、これに類似した実施例として情報交流欄付カレンダーがある。このカレンダーは、カレンダー用紙の表面には、地域の未来図や行事、景勝地を表した図柄部と、日付曜日等を表したカレンダー部と、広告主に対する商品注文欄や各種提言欄等からなる情報交流カード部とを各々切取り部を介して連接して設けられており、裏面には、前記図柄部相当部に郵便葉書部と、前記情報交流カード部相当部に広告主宛への郵便葉書欄等と、を備えたものである。これにより、カレンダーの配布により地域の宣伝をし、地域の活性化の促進の一助になると共に、利用者と広告主の間に情報交流が図れるものである（例えば、特許文献１参照。）。
【０００４】
また、別の配布用広告媒体は、本体の表面／裏面に広告を掲載した広告表示部を具備するとともに、各種配布物を出し入れ自在に収納する少なくとも１個の収納部を設け、この収納部は開口を有する袋状に形成してなるものである（例えば、特許文献２参照。）。
【０００５】
【特許文献１】実開平４−８３６６２号公報
【特許文献２】実用新案登録第３０６６７８３号公報
【考案の開示】
【考案が解決しようとする課題】
【０００６】
上記従来の情報交流欄付カレンダーの構成によると次のような問題があった。すなわち、日付曜日を表したカレンダー部と、広告主に対する商品注文欄・各種提言欄からなる情報交流カード部とが取り部で連接され、裏面には、前記情報交流カード部相当部に広告主宛への郵便葉書欄等とからなり、情報交流カード部の郵便葉書欄を利用して広告主宛への郵送による商品注文をするだけに止まってしまう。即ち、広告主（メーカーや卸業者）と利用者（理美容店の消費者）とのキメ細かい情報交換ができないという問題がある。
【０００７】
更に、上記従来の配布用広告媒体の構成によると次のような問題があった。すなわち、本体の表面／裏面に広告を掲載した広告表示部を備え、各種配布物を出し入れ自在に収納する少なくとも１個の開口を有する袋状の収納部を設けただけのものであり、色々な小物や一枚物の書類を差し込んで置くに過ぎない。このために、広告主と利用者（消費者）とのキメ細かい情報交換はできないという問題がある。
【０００８】
本考案はこのような点に基づいてなされたものでその目的とするところは、理美容室用品の卸業者と理美容室間又は卸業者と理美容室とメーカー間の情報伝達が的確にでき営業活動が円滑にできるようにした理美容室用情報伝達カレンダーを提供することにある。
【課題を解決するための手段】
【０００９】
上記目的を達成するべく本考案の請求項１による理美容室用情報伝達カレンダーは、理美容室内に設置され収納物を出し入れ自在に収納する収納部を備えたカレンダー部と、卸業者の営業担当者が各理美容室を訪問する際に記載されて上記収納部に挿入される提案書と、からなり、上記提案書は伝達事項確認欄、理美容室名欄、講習会案内欄、新製品案内欄、取扱い製品フォローアップ欄、案内物紹介欄、理美容室への企画・イベント提案欄、及び理美容室改善提案欄を備えるとともに３枚複写式で理美容室と営業担当者と管理者に提供されるものであることを特徴とするものである。
【００１０】
また、本考案の請求項２による理美容室用情報伝達カレンダーは、請求項１記載の理美容室用情報伝達カレンダーにおいて、上記提案書は卸業者用とメーカー用が用意され、メーカー用提案書はメーカーの営業担当者が各理美容室を訪問する際に記載されて上記収納部に挿入されるものであり伝達事項確認欄、理美容室名欄、企画・イベント提案欄、新製品案内欄、取扱い製品フォローアップ欄を備えるとともに４枚複写式で理美容室とメーカー担当者と卸業者営業担当者と卸業者管理者に提供されるものであることを特徴とするものである。
【００１１】
すなわち、請求項１の理美容室用情報伝達カレンダーの場合には、まず、各理美容室店を定期的に巡回する卸業者の営業担当者が提案書を使用する。まず、提案書の伝達事項確認欄により、面会できない場合は「次回お伝えしたい事」欄へチェックする。また、理美容室名欄、講習会案内欄、新製品案内欄、取扱い製品フォローアップ欄、案内物紹介欄、理美容室への企画・イベント提案欄、及び理美容室改善提案欄に必要事項を記入する。上記提案書は、（営業控）（管理者控）（お客様控）の３枚複写式としており、（お客様控）を各理美容室に置かれている理美容室用情報伝達カレンダーの袋状の収納部に差し込み、後で読んで頂けるよう告げて理美容室を出る。また、面会した場合は「本日お伝えしたことの確認」欄へチェックし、面接により説明した上記情報について記入して、面接後に（お客様控）一部を理美容室の経営者やスタッフ達に手渡して簡単な説明をする。
【００１２】
面接できない場合、営業を終了した理美容室の経営者やスタッフは、その提案書を短時間で一読して、講習会案内欄、新製品案内欄、取扱い製品フォローアップ欄、案内物紹介欄、理美容室への企画・イベント提案欄、及び理美容室改善提案欄の内容を素早く理解することができる。これにより、電話等よる問い合わせや次回巡回してくる営業担当者に対して色々な質問や新製品の注文、理美容室改善策等について具体的な相談を持ち出すことができる。即ち、理美容室の営業中は忙しくて、巡回する営業担当者とゆっくり商談ができなくても、卸業者の営業担当者と理美容室の経営者やスタッフとの情報伝達や情報交換が円滑に行われる。また、卸業者の営業担当者は、自分の（営業控）と管理者の（管理者控）とを会社に持ち帰り、卸業者側で管理できる。
【００１３】
また、請求項２の理美容室用情報伝達カレンダーの場合には、各理美容室店を定期的に巡回するメーカーの営業担当者が提案書を使用する。まず、提案書の伝達事項確認欄により、面会した場合は「本日お伝えしたことの確認」欄へチェックし、面会できない場合は「次回お伝えしたい事」欄へチェックする。また、理美容室名欄、企画・イベント提案欄、新製品案内欄、取扱い製品フォローアップ欄に必要事項を記入する。上記提案書は、（お客様控）（メーカー担当控）（営業控）（管理者控）の４枚複写式としており、（お客様控）を各理美容室に置かれている理美容室用情報伝達カレンダーの袋状の収納部に差し込み、後で読んで頂けるよう告げて理美容室を出る。また、面接した場合は、面接後に（お客様控）一部を理美容室の経営者やスタッフ達に手渡して簡単な説明をする。
【００１４】
面接できない場合、営業を終了した理美容室の経営者やスタッフは、その提案書を短時間で一読して、企画・イベント提案欄、新製品案内欄、取扱い製品フォローアップ欄の内容を素早く理解することができる。これにより、電話等よる問い合わせや次回巡回してくる営業担当者に対して色々な質問や新製品の注文、理美容室改善策等について具体的な相談を持ち出すことができる。即ち、理美容室の営業中は忙しくて、巡回する営業担当者とゆっくり商談ができなくても、メーカーの営業担当者と理美容室の経営者やスタッフとの情報伝達や情報交換が円滑に行われる。また、メーカーの営業担当者は、自分の（営業控）と卸業者の営業担当者（営業担当控）と卸業者の管理者の（管理者控）とを卸業者側に回付し、上記情報を卸業者側で管理できる。
【考案の効果】
【００１５】
本考案の理美容室用情報伝達カレンダーによると、卸業者と理美容室の二者間の情報伝達や情報交換が円滑に行われ、営業効率を上げることができる。また、卸業者と理美容室とメーカーとの三者間の情報伝達や情報交換が円滑に行われ、営業効率を上げることができる。
【考案を実施するための最良の形態】
【００１６】
以下、図１と図２及び図４と図５を参照して本考案の第１の実施の形態を説明する。図１は理美容室用情報伝達カレンダーの外観斜視図、図２は提案書の正面図、図４は二者間の情報伝達や情報交換の概要図、図５は二者間の情報伝達を示す模式図である。
【００１７】
まず、図１乃至図２に示すように、理美容室用情報伝達カレンダー１００は、月毎に日付や曜日を表したカレンダー部１と、上記カレンダー部１の下部に設けられ上側が開口した袋状の収納部３と、卸業者の営業担当者が各理美容室を訪問する際に記載されて上記収納部３に挿入される提案書１０と、よりなるものである。上記提案書１０は、伝達事項確認欄イ、理美容室名欄ロ、講習会案内欄ハ、新製品案内欄ニ、取扱い製品フォローアップ欄ホ、案内物紹介欄ヘ、理美容室への企画・イベント提案欄ト、及び理美容室改善提案欄チを備える。すなわち、伝達事項確認欄イは「□本日お伝えした事の確認と日付欄」と「□次回お伝えしたい事と日付欄」からなる。また、理美容室名欄ロは「ご住所欄」と「お客様名欄」とからなる。また、講習会案内欄ハは「講習会のご案内」と「開催日欄」「講習会名欄」「対象者欄」からなる。また、新製品案内欄ニは「新製品のご案内」と「具体的な内容の記入欄」からなる。また、取扱い製品フォローアップ欄ホは「お取扱い製品のフォローアップ」と「具体的な内容の記入欄」とからなる。また、案内物紹介欄ヘは「お持ちしたご案内物」と「具体的な内容の記入欄」とからなる。また、理美容室への企画・イベント提案欄トは「貴サロン様へのご提案」と「具体的な内容の記入欄」とからなる。また、理美容室改善提案欄チは「貴サロン様で気づいた点」と「具体的な内容の記入欄」とからなる。これらに加えて、その他情報伝達欄リを設けている。その他情報伝達欄リは「その他お伝えしたい事項」と「具体的な内容の記入欄」とからなる。また、営業担当者氏名欄ヌを設けている。尚、その他情報伝達欄リと営業担当者氏名欄ヌは設けなくても良い。また、上記各欄の表現については、上記のものに限定されるものではなく、その内容を意味する他の表現としても良い。
【００１８】
上記提案書１０は（営業控）１０Ａ、（管理者控）１０Ｂ、（お客様控）１０Ｃの３枚複写式としている。また、カレンダー部１の左側空白には、月別の「イベント・講習会案内」等Ａが印刷されていて、カレンダーを見る理美容室のスタッフの目にとまるように構成されている。また、上記収納部３には、新製品カタログＫ、イベント案内チラシＩ、業界情報誌Ｇ等、上記案内物紹介欄ヘに記載した内容に対応するものが入れられる。
【００１９】
以上の構成を基にその作用を説明する。まず、各理美容室店Ｂを定期的に巡回する卸業者の営業担当者Ｅは、各店毎に所持した提案書１０において、直接に商談ができなかったときは、必要事項、例えば、「本日お伝えしたい事」、今月の講習会のテーマや技術勉強会等の「講習会のご案内」、新発売された商品等の「新製品のご案内」、当該店で使用中の商品等についての情報である「お取扱い製品のフォローアップ」、新製品カタログＫ、イベント案内チラシＩ、業界情報誌Ｇ等の内容を説明する「お持ちしたご案内物」、四季のおしゃれの提案、例えば２月はバレンタインフェア、６月はＵＶケアの方法、７月はストレートパーマについて等の「貴サロン様へのご提案」、室内の印象・改善点についての「貴サロン様で気づいた点」について記入する。これは、昼間における店の営業時間中での訪問を余儀なくされるからである。上記提案書１０は、（営業控）１０Ａ、（管理者控）１０Ｂ、（お客様控）１０Ｃの３枚複写からなる。そこで、（お客様控）を各理美容室Ｂに用意されている理美容室用情報伝達カレンダー１００における収納部３に差し込み、後で読んで頂けるよう告げて店舗を出る。
【００２０】
営業を終了した理美容室Ｂの経営者やスタッフは、その提案書１０を短時間に一読して、「講習会の事、新製品の事、商品フォローアップの事、案内物のメモ、店舗への提案や問題点」等を素早く理解することができる。これにより、次回に巡回して来る卸業者の営業担当者Ｅに対して、色々な質問や新製品の注文、理美容室改善策等について具体的な相談を円滑に持ち出すことになる。即ち、図４（ａ）に示すように、理美容室Ｂの営業中は忙しくて、巡回する営業担当者Ｅとゆっくり商談等ができなくても、卸業者の営業担当者Ｅと理美容室Ｂの経営者やスタッフとの情報伝達や情報交換が円滑に行われる。また、面会した場合は「本日お伝えしたことの確認」欄へチェックし、面接により説明した上記情報について記入して、面接後に（お客様控）一部を理美容室の経営者やスタッフ達に手渡して簡単な説明をする。
【００２１】
更に、図５を参照して本考案の実施の形態による情報の提供方法を従来と比較して説明する。従来は、営業担当者が今回の訪問で「情報」を持って理美容室を訪ねたとき、「理美容室」が「営業中で多忙」の場合商談不可（×）となる。次回の訪問時は、営業担当者が前回の「同じ情報」と「新しい情報」を持って理美容室を訪問したとき、「営業中で多忙」にて商談不可（×）又は（○）となるので、非能率的な営業活動になっている。一方、本考案によれば、営業担当者が今回の訪問の「情報」を持って理美容室を訪ねたとき、「営業中で多忙」にて商談不可であれば、「今回の情報」を記入した提案書１０における（お客様控）１０Ｃを「情報伝達カレンダー」１００に入れて帰る。この面接結果は、営業担当者の（営業控）１０Ａとともに管理者の（管理者控）１０Ｂを回付して「管理者へフィードバック」される。そして、上記提案書１０を後から読んだ理美容室のスタッフ他は、営業担当者Ｅに「問合せの電話」等を入れる。これに営業担当者Ｅが対応して、次回の訪問時に「詳しい情報」を持って訪問が可能となる。この表に見るように卸業者の理美容室Ｂ側への情報提供が高められ、卸業者側の営業活動の能率も大幅に高められる。
【００２２】
以上、本実施の形態によると、次のような効果を奏することができる。まず、理美容業界の講習会の事、新製品の事、商品フォローアップの事、案内物のメモ、店舗への提案や問題点の指摘が円滑にできて、卸業者と理美容室の二者間の情報伝達や情報交換が円滑に行われ、卸業者の営業効率を上げることができる。
【００２３】
次に、図１と図３及び図４と図６を参照して本考案の第２の実施の形態を説明する。上記第１の実施の形態の場合には、理美容室用品の卸業者と理美容室間の二者間で利用される理美容室用情報伝達カレンダーを説明したが、この第２の実施の形態は、上記卸業者と理美容室とともにメーカーも加えた三者間で利用される理美容室用情報伝達カレンダー２００としたものである。
【００２４】
まず、図１乃至図２に示すように、理美容室用情報伝達カレンダー２００は、月毎に日付や曜日を表したカレンダー部１と、上記カレンダー部１の下部に設けられ上側が開口した袋状の収納部３と、卸業者の営業担当者が各理美容室を訪問する際に記載されて上記収納部３に挿入される提案書１０と、メーカーの営業担当者が各理美容室を訪問する際に記載されて上記収納部３に挿入される提案書２０とよりなるものである。上記月毎に日付や曜日を表したカレンダー部１と、上記カレンダー部１の下部に設けられ上側が開口した袋状の収納部３と、卸業者の営業担当者が各理美容室を訪問する際に記載されて上記収納部３に挿入される提案書１０については、上記第１の実施の形態と同一構成であり、その説明を省略する。提案書２０は、図３に示すように、メーカーの営業担当者Ｍが各理美容室を訪問する際に記載されて上記収納部３に挿入される。
【００２５】
この提案書２０は、伝達事項確認欄ル、理美容室名欄ヲ、新製品案内欄ワ、取扱い製品フォローアップ欄カ、理美容室への企画・イベント提案欄ヨを備える。すなわち、伝達事項確認欄ルは「□本日お伝えした事の確認と日付欄」と「□次回お伝えしたい事と日付欄」からなる。また、理美容室名欄ヲは「ご住所欄」と「お客様名欄」とからなる。また、新製品案内欄ワは「新製品のご案内」と「具体的な内容の記入欄」からなる。また、取扱い製品フォローアップ欄カは「自社製品のフォローアップ」と「具体的な内容の記入欄」とからなる。また、理美容室への企画・イベント提案欄ヨは「企画・イベントのご提案」と「具体的な内容の記入欄」からなる。これらに加えて、その他情報伝達欄タを設けている。その他情報伝達欄タは「その他お伝えしたい事項」と「具体的な内容の記入欄」とからなる。また、メーカー営業担当者氏名欄レを設けている。尚、その他情報伝達欄タと営業担当者氏名欄レは設けなくても良い。
【００２６】
上記提案書２０は、（メーカー担当控）２０Ａ，（営業控）２０Ｂ，（管理者控）２０Ｃ，（お客様控）２０Ｄの４枚複写式である。
【００２７】
以上の構成を基にその作用を説明する。まず、各理美容室店Ｂを定期的に巡回するメーカーの営業担当者Ｍは、各店毎に所持した提案書２０において、直接に商談ができなかったときは、必要事項（例えば、「本日お伝えしたい事」、新発売された商品等の「新製品のご案内」、当該店で使用中の自社製品等についての情報である「自社製品のフォローアップ」、四季のおしゃれの提案、例えば２月はバレンタインフェア、６月はＵＶケアの方法、７月はストレートパーマについて等の「企画・イベントのご提案」「その他のお伝えしたい事項」等について記入する。これは、昼間における店の営業時間中での訪問を余儀なくされるからである。上記提案書２０は、（メーカー担当控）２０Ａ，（営業控）２０Ｂ，（管理者控）２０Ｃ，（お客様控）２０Ｄの４枚複写からなる。そこで、（お客様控）を各理美容室Ｂに用意されている理美容室用情報伝達カレンダー２００における収納部３に差し込み、後で読んで頂けるよう告げて店舗を出る。また、（メーカー担当控）２０Ａをメーカー側の担当者が保有し、（営業控）２０Ｂ，（管理者控）２０Ｃは卸業者の営業担当者と管理者に回付する。
【００２８】
営業を終了した理美容室Ｂの経営者やスタッフは、その提案書２０を短時間に一読して、「新製品の事、使用中の商品のフォローアップの事、メーカーの企画・イベントの事」等を素早く理解することができる。これにより、次回に巡回して来る卸業者の営業担当者Ｅに対して、色々な質問や新製品の注文、理美容室改善策等について具体的な相談を円滑に持ち出すことになる。即ち、図４（ａ）に示すように、理美容室Ｂの営業中は忙しくて、巡回するメーカー側の営業担当者Ｅとゆっくり商談等ができなくても、メーカー側の営業担当者Ｅと卸業者の営業担当者Ｅと理美容室Ｂの経営者やスタッフとの情報伝達や情報交換が円滑に行われる。また、面会した場合は「本日お伝えしたことの確認」欄へチェックし、面接により説明した上記情報について記入して、面接後に（お客様控）一部を理美容室の経営者やスタッフ達に手渡して簡単な説明をする。
【００２９】
更に、図６を参照して本考案の実施の形態による情報の提供方法を従来と比較して説明する。従来は、メーカー担当者が「メーカー情報」を持って理美容室を訪問したとき、「営業中で多忙」の場合は商談不可（×）となる。このとき、営業情報の卸業者側へのフィードバックは無い。次回の卸業者側の営業担当者が訪問時は、卸業者の「営業情報」を持って理美容室を訪問したとき、「営業中で多忙」の場合は商談不可（×）となり営業情報は伝わらないままで、非能率的な営業活動になっている。一方、本考案によれば、「メーカー担当者」が「メーカー情報」を持って「理美容室」を訪問したとき、「営業中で多忙」にて商談不可であれば、情報伝達カレンダー２００に「メーカー情報」等を記入した「提案書２０における（お客様控）２０Ｄを入れて帰る。また、この内容は、「メーカー担当者」の（営業控）２０Ａによる管理とともに、「卸業者担当者」の（営業担当控）２０Ｃと卸業者の管理者の（管理者控）２０Ｂが回付されることによりにより卸業者側へフィードバックされ管理される。
【００３０】
そして、上記情報交換用案内書１０を後から読んだ理美容室の経営者やスタッフは、「メーカー担当者」に「問合せの電話」等を入れるとともに、卸業者の「営業担当者」にも「問合せ」が送られる。これに卸業者側「営業担当者」が対応して、次回の訪問時に「詳しい情報」を持って理美容室への訪問が可能となる。また、次回の「メーカー担当者」が理美容室への訪問時に「メーカー問合せ対応」をすることもできる。このフローチャートこの表に見るようにメーカーと卸業者の理美容室Ｂ側への情報提供が高められ、メーカー及び卸業者側の営業活動の能率も大幅に高められる。
【００３１】
以上、本実施の形態によると、次のような効果を奏することができる。まず、理美容業界の講習会の事、新製品の事、商品のフォローアップの事、案内物のメモ、店舗への提案や問題点の指摘が円滑にできるとともに、メーカー側からの新製品の事、取扱い製品のフォローアップの事、理美容室への企画・イベントの提案の事等の情報提供が円滑にでき、メーカーと卸業者と理美容室の三者間の情報伝達や情報交換が円滑に行われ、メーカー及び卸業者の営業効率を上げることができる。
【産業上の利用可能性】
【００３２】
本考案は、その対象を理美容室用情報伝達カレンダー１００，２００としての使用例で説明したが、化粧品等の製品を使用する業種、例えばエステティックサロン、ネイルサロン等の様々な営業分野の情報伝達カレンダーとしての適用が可能である。
【図面の簡単な説明】
【００３３】
【図１】本考案の第１の実施の形態を示す図で、理美容室用情報伝達カレンダーの斜視図である。
【図２】本考案の第１の実施の形態を示す図で、卸業者用の情報交換用案内書の正面図である。
【図３】本考案の第２の実施の形態を示す図で、メーカー側の情報交換用案内書の正面図である。
【図４】本考案の第１及び第２の実施の形態を示す図で、情報交換のフローチャート図である。
【図５】本考案の第１の実施の形態を示す図で、二者間のフローチャート図である。
【図６】本考案の第２の実施の形態を示す図で、三者間のフローチャート図である。
【符号の説明】
【００３４】
１                    カレンダー部
３                    収納部
１０                  提案書
１０Ａ                営業控
１０Ｂ                管理者控
１０Ｃ                お客様控
２０                  提案書
２０Ａ                メーカー担当控
２０Ｂ                卸業者営業控
２０Ｃ                卸業者管理者控
２０Ｄ                お客様控
１００，２００        理美容室用情報伝達カレンダー
Ｂ                    理美容室
Ｍ                    メーカー担当者
Ｅ                    営業担当者
【図１】
0003122134.tif 000003
【図２】
0003122134.tif 000004
【図３】
0003122134.tif 000005
【図４】
0003122134.tif 000006
【図５】
0003122134.tif 000007
【図６】
0003122134.tif 000008